(57)【要約】【課題】簡易な構造としながらも各投影カラーモードで輝度及び色相を適切に調整する。【解決手段】光源17〜19と、それぞれ扇形の複数の原色フィルタ20Ｒ，20Ｇ，20Ｂ及び透明フィルタ20Ｗを円周に沿って配置し、回転に応じて光源17〜19からの光路中に１つのフィルタを時分割で挿入して光源光を透過させるカラーホイール20と、カラーホイール20を介した光を用いて光像を形成し、投影対象に向けて投影する投影系13〜16，21〜23と、色相及び明るさのいずれか一方を重視する投影カラーモードを指定する操作部31と、操作部31での指定内容に応じ、複数の原色フィルタ20Ｒ，20Ｇ，20Ｂと透明フィルタ20Ｗの各光路挿入タイミングに合わせて光源17〜19の発光輝度を制御する光源制御系28〜30，27とを備える。【選択図】    図１
2014041359.tif 000002
【特許請求の範囲】
【請求項１】
光源と、
それぞれ扇形の複数の原色フィルタ及び透明フィルタを円周に沿って配置し、回転に応じて上記光源からの光路中に１つのフィルタを時分割で挿入して光源光を透過させるカラーホイールと、
上記カラーホイールを介した光を用いて光像を形成し、投影対象に向けて投影する投影手段と、
色相及び明るさのいずれか一方を重視する投影カラーモードを指定する指定手段と、
上記指定手段での指定内容に応じ、上記複数の原色フィルタと透明フィルタの各上記光路挿入タイミングに合わせて上記光源の発光輝度を制御する光源制御手段と
を具備し、
上記光源制御手段は、
上記指定手段での指定内容に応じ、カラーホイール１回転当たりの上記光源の消費電力を、一定の発光輝度で上記光源を発光させた場合のカラーホイール１回転当たりの消費電力と略同等に抑え、
上記複数の原色フィルタのうちの少なくとも１つの領域を分割し、複数の原色フィルタ及び透明フィルタを上記分割した領域単位で二値の輝度値のいずれかとするとともに、
上記分割した領域の原色フィルタの上記光路挿入タイミングでの光源の発光輝度がその前後の原色フィルタ又は透明フィルタの上記光路挿入タイミングでの光源の発光輝度と連続した同じ値になるように切り換える
ことを特徴とする投影装置。
【請求項２】
上記光源制御手段は、上記光源の発光輝度がカラーホイール１回転内の切換回数が２回になるように、上記光源の発光輝度を制御することを特徴とする請求項１記載の投影装置。
【請求項３】
光源、それぞれ扇形の複数の原色フィルタ及び透明フィルタを円周に沿って配置し、回転に応じて上記光源からの光路中に１つのフィルタを時分割で挿入して光源光を透過させるカラーホイール、及び上記カラーホイールを介した光を用いて光像を形成し、投影対象に向けて投影する投影部を備えた投影装置での投影方法であって、
色相及び明るさのいずれか一方を重視する投影カラーモードを指定する指定工程と、
上記指定工程での指定内容に応じ、上記複数の原色フィルタと透明フィルタの各上記光路挿入タイミングに合わせて上記光源の発光輝度を制御する光源制御工程と
を有し、
上記光源制御工程は、
上記指定工程での指定内容に応じ、カラーホイール１回転当たりの上記光源の消費電力を、一定の発光輝度で上記光源を発光させた場合のカラーホイール１回転当たりの消費電力と略同等に抑え、
上記複数の原色フィルタのうちの少なくとも１つの領域を分割し、複数の原色フィルタ及び透明フィルタを上記分割した領域単位で二値の輝度値のいずれかとするとともに、
上記分割した領域の原色フィルタの上記光路挿入タイミングでの光源の発光輝度がその前後の原色フィルタ又は透明フィルタの上記光路挿入タイミングでの光源の発光輝度と連続した同じ値になるように切り換える
ことを特徴とする投影方法。
【請求項４】
光源、それぞれ扇形の複数の原色フィルタ及び透明フィルタを円周に沿って配置し、回転に応じて上記光源からの光路中に１つのフィルタを時分割で挿入して光源光を透過させるカラーホイール、及び上記カラーホイールを介した光を用いて光像を形成し、投影対象に向けて投影する投影部を備えた投影装置が内蔵するコンピュータが実行するプログラムであって、
色相及び明るさのいずれか一方を重視する投影カラーモードを指定する指定ステップと、
上記指定ステップでの指定内容に応じ、上記複数の原色フィルタと透明フィルタの各上記光路挿入タイミングに合わせて上記光源の発光輝度を制御する光源制御ステップと
をコンピュータに実行させ、
上記光源制御ステップは、
上記指定ステップでの指定内容に応じ、カラーホイール１回転当たりの上記光源の消費電力を、一定の発光輝度で上記光源を発光させた場合のカラーホイール１回転当たりの消費電力と略同等に抑え、
上記複数の原色フィルタのうちの少なくとも１つの領域を分割し、複数の原色フィルタ及び透明フィルタを上記分割した領域単位で二値の輝度値のいずれかとするとともに、
上記分割した領域の原色フィルタの上記光路挿入タイミングでの光源の発光輝度がその前後の原色フィルタ又は透明フィルタの上記光路挿入タイミングでの光源の発光輝度と連続した同じ値になるように切り換える
ことを特徴とするプログラム。
【発明の詳細な説明】
【技術分野】
【０００１】
本発明は、カラーホイールを用いるＤＬＰ（Ｄｉｇｉｔａｌ Ｌｉｇｈｔ Ｐｒｏｃｅｓｓｉｎｇ）（登録商標）方式のデータプロジェクタ装置に好適な投影装置、投影方法及びプログラムに関する。
【背景技術】
【０００２】
従来よりプロジェクタ装置では、通常の投影カラーモードの他に、例えば「シネマモード」「シアターモード」「プレゼン（プレゼンテーション）モード」などと称される、投影画像全体の色彩と輝度との関係を変更設定するような各種投影カラーモードを選択可能な機種が多々企画、製品化されている。
【０００３】
また、シネマモード用とプレゼンモード用のどちらにも使用できるように２枚のカラーホイールを効率よく配置したＤＬＰ（登録商標）方式のプロジェクタを提供することを目的として、投影光路に沿ったインテグレータの前後に第１及び対第２のカラーホイールを設け、両カラーホイール上の光スポット径が同じになるように配置すると共に、両カラーホイールを、互いに光路上で同色のカラーフィルタ同士が重なるように回転させるプレゼンモードと、互いに光路上で赤、緑、青のカラーフィルタが無色透明のカラーフィルタと重なるように回転させるシネマモードとを備えた構成とするようにした技術が考えられている。（例えば、特許文献１）
【先行技術文献】
【特許文献】
【０００４】
【特許文献１】特開２００８−１８１０３２号公報
【発明の概要】
【発明が解決しようとする課題】
【０００５】
しかしながら、上記特許文献に記載された技術を含めて、各投影カラーモードに適した投影画像を得るためには、例えば２つのカラーホイールを用いてその回転を調整するなど、複雑な構造としなければならず、どうしても製造コストが増大するという不具合があった。
【０００６】
本発明は上記のような実情に鑑みてなされたもので、その目的とするところは、簡易な構造としながらも、各投影カラーモードにより投影画像の輝度及び色相を適切に調整することが可能な投影装置、投影方法及びプログラムを提供することにある。
【課題を解決するための手段】
【０００７】
請求項１記載の発明は、光源と、それぞれ扇形の複数の原色フィルタ及び透明フィルタを円周に沿って配置し、回転に応じて上記光源からの光路中に１つのフィルタを時分割で挿入して光源光を透過させるカラーホイールと、上記カラーホイールを介した光を用いて光像を形成し、投影対象に向けて投影する投影手段と、色相及び明るさのいずれか一方を重視する投影カラーモードを指定する指定手段と、上記指定手段での指定内容に応じ、上記複数の原色フィルタと透明フィルタの各上記光路挿入タイミングに合わせて上記光源の発光輝度を制御する光源制御手段とを具備し、上記光源制御手段は、上記指定手段での指定内容に応じ、カラーホイール１回転当たりの上記光源の消費電力を、一定の発光輝度で上記光源を発光させた場合のカラーホイール１回転当たりの消費電力と略同等に抑え、上記複数の原色フィルタのうちの少なくとも１つの領域を分割し、複数の原色フィルタ及び透明フィルタを上記分割した領域単位で二値の輝度値のいずれかとするとともに、上記分割した領域の原色フィルタの上記光路挿入タイミングでの光源の発光輝度がその前後の原色フィルタ又は透明フィルタの上記光路挿入タイミングでの光源の発光輝度と連続した同じ値になるように切り換えることを特徴とする。
請求項２記載の発明は、上記請求項１記載の発明において、上記光源制御手段は、上記光源の発光輝度がカラーホイール１回転内の切換回数が２回になるように、上記光源の発光輝度を制御することを特徴とする。
【０００８】
請求項３記載の発明は、光源、それぞれ扇形の複数の原色フィルタ及び透明フィルタを円周に沿って配置し、回転に応じて上記光源からの光路中に１つのフィルタを時分割で挿入して光源光を透過させるカラーホイール、及び上記カラーホイールを介した光を用いて光像を形成し、投影対象に向けて投影する投影部を備えた投影装置での投影方法であって、色相及び明るさのいずれか一方を重視する投影カラーモードを指定する指定工程と、上記指定工程での指定内容に応じ、上記複数の原色フィルタと透明フィルタの各上記光路挿入タイミングに合わせて上記光源の発光輝度を制御する光源制御工程とを有し、上記光源制御工程は、上記指定工程での指定内容に応じ、カラーホイール１回転当たりの上記光源の消費電力を、一定の発光輝度で上記光源を発光させた場合のカラーホイール１回転当たりの消費電力と略同等に抑え、上記複数の原色フィルタのうちの少なくとも１つの領域を分割し、複数の原色フィルタ及び透明フィルタを上記分割した領域単位で二値の輝度値のいずれかとするとともに、上記分割した領域の原色フィルタの上記光路挿入タイミングでの光源の発光輝度がその前後の原色フィルタ又は透明フィルタの上記光路挿入タイミングでの光源の発光輝度と連続した同じ値になるように切り換えることを特徴とする。
【０００９】
請求項４記載の発明は、光源、それぞれ扇形の複数の原色フィルタ及び透明フィルタを円周に沿って配置し、回転に応じて上記光源からの光路中に１つのフィルタを時分割で挿入して光源光を透過させるカラーホイール、及び上記カラーホイールを介した光を用いて光像を形成し、投影対象に向けて投影する投影部を備えた投影装置が内蔵するコンピュータが実行するプログラムであって、色相及び明るさのいずれか一方を重視する投影カラーモードを指定する指定ステップと、上記指定ステップでの指定内容に応じ、上記複数の原色フィルタと透明フィルタの各上記光路挿入タイミングに合わせて上記光源の発光輝度を制御する光源制御ステップとをコンピュータに実行させ、上記光源制御ステップは、上記指定ステップでの指定内容に応じ、カラーホイール１回転当たりの上記光源の消費電力を、一定の発光輝度で上記光源を発光させた場合のカラーホイール１回転当たりの消費電力と略同等に抑え、上記複数の原色フィルタのうちの少なくとも１つの領域を分割し、複数の原色フィルタ及び透明フィルタを上記分割した領域単位で二値の輝度値のいずれかとするとともに、上記分割した領域の原色フィルタの上記光路挿入タイミングでの光源の発光輝度がその前後の原色フィルタ又は透明フィルタの上記光路挿入タイミングでの光源の発光輝度と連続した同じ値になるように切り換えることを特徴とする。
【発明の効果】
【００１０】
本発明によれば、簡易な構造としながらも各投影カラーモードにより投影画像の輝度及び色相を適切に調整することが可能となる
【図面の簡単な説明】
【００１１】
【図１】本発明の一実施形態に係るデータプロジェクタ装置の電子回路の概略機能構成を示すブロック図。
【図２】同実施形態に係るカラーホイールの構成を示す図。
【図３】同実施形態に係る投影カラーモードの処理内容を示すフローチャート。
【図４】同実施形態に係る明るさ優先モード時の点灯駆動の設定内容を示す図。
【図５】同実施形態に係る色優先モード時の点灯駆動の設定内容を示す図。
【発明を実施するための形態】
【００１２】
以下本発明をＤＬＰ（登録商標）方式のデータプロジェクタ装置に適用した場合の一実施形態について図面を参照して説明する。 
図１は本実施形態に係るデータプロジェクタ装置１０の電子回路の概略機能構成を示すブロック図である。
【００１３】
図中、１１は入出力コネクタ部であり、例えばピンジャック（ＲＣＡ）タイプのビデオ入力端子、Ｄ−ｓｕｂ１５タイプのＲＧＢ入力端子、及びＵＳＢ（Ｕｎｉｖｅｒｓａｌ Ｓｅｒｉａｌ Ｂｕｓ）コネクタを含む。
【００１４】
入出力コネクタ部１１より入力される各種規格の画像信号は、入出力インタフェース（Ｉ／Ｆ）１２、システムバスＳＢを介し、スケーラとも称される画像変換部１３で投影に適した所定のフォーマットの画像信号に統一され、適宜表示用のバッファメモリであるビデオＲＡＭ１４に記憶された後に、投影画像処理部１５へ送られる。
【００１５】
この際、ＯＳＤ（Ｏｎ Ｓｃｒｅｅｎ Ｄｉｓｐｌａｙ）用の各種動作状態を示すシンボル等のデータも必要に応じてビデオＲＡＭ１４で画像信号に重畳加工され、加工後の画像信号が投影画像処理部１５へ送られる。
【００１６】
投影画像処理部１５は、送られてきた画像信号に応じて、所定のフォーマットに従ったフレームレート、例えば６０［フレーム／秒］と色成分の分割数、及び表示階調数を乗算した、より高速な時分割駆動により、空間的光変調素子（ＳＯＭ）であるマイクロミラー素子１６を表示駆動する。
【００１７】
一方、リフレクタ１７内に配置された、例えば超高圧水銀灯を用いた光源ランプ１８が高輝度の白色光を出射する。この光源ランプ１８は、バラスト回路１９からの電力により交流駆動される。光源ランプ１８の出射した白色光は、マイクロミラー素子１６での表示に同期して高速回転するカラーホイール２０を透過し、インテグレータ２１で輝度分布が均一な光束とされた後に、ミラー２２で全反射して上記マイクロミラー素子１６に照射される。
【００１８】
そして、マイクロミラー素子１６での反射光で光像が形成され、形成された光像が投影レンズユニット２３で拡大され、投影対象となる図示しないスクリーンに投影される。
【００１９】
投影レンズユニット２３は、マイクロミラー素子１６で形成された光像を拡大してスクリーン等の対象に投影するものであり、合焦位置及びズーム位置（投影画角）を任意に可変できるものとする。
【００２０】
すなわち、投影レンズユニット２３内の図示しないフォーカスレンズ及びズームレンズは共に光軸方向に沿って前後に移動することで制御されるもので、それらレンズはステッピングモータ（Ｍ）２４の回動駆動により移動する。
【００２１】
また、上記光源ランプ１８を点灯させるためのバラスト回路１９への電力供給、上記カラーホイール２０用のモータ（Ｍ）２５の回転駆動、カラーホイール２０の回転周端に設けられたマーカセンサ２６からのセグメント境界の検出、及び上記ステッピングモータ２４の回動駆動をいずれも投影光処理部２７が実行する。
【００２２】
なお、上記投影画像処理部１５は、マイクロミラー素子１６で表示する色成分毎の画像の切換タイミングに同期したランプ同期信号を上記バラスト回路１９及び投影光処理部２７へ出力する。
【００２３】
上記各回路の動作すべてをＣＰＵ２８が制御する。このＣＰＵ２８は、ＤＲＡＭで構成されたメインメモリ２９、動作プログラムや各種定型データ等を記憶した電気的書換可能な不揮発性メモリで構成されるプログラムメモリ３０を用いてこのデータプロジェクタ装置１０内の制御動作を実行する。
【００２４】
上記ＣＰＵ２８は、操作部３１からの操作信号に応じて各種投影動作を実行する。この操作部３１は、データプロジェクタ装置１０の筐体本体に設けられたキー操作部と、このデータプロジェクタ装置１０専用の図示しないリモートコントローラからの赤外線変調信号を受信する赤外線受信部とを含み、ユーザがキー操作部またはリモートコントローラを介して操作したキーに基づくキーコード信号をＣＰＵ２８へ直接出力する。
【００２５】
上記ＣＰＵ２８はさらに、上記システムバスＳＢを介して音声処理部３２と接続される。
【００２６】
音声処理部３２は、ＰＣＭ音源等の音源回路を備え、投影動作時に与えられる音声データをアナログ化し、スピーカ部３３を駆動して拡声放音させ、あるいは必要によりビープ音等を発生させる。
【００２７】
なお、上記カラーホイール２０についても説明しておく。 
図２は、上記カラーホイール２０の具体的な構成例を示すものである。図示する如く、Ｒ（赤）フィルタ２０ｒ、Ｂ（青）フィルタ２０ｂ、Ｗ（無色透明）フィルタ２０ｗ、及びＧ（緑）フィルタ２０ｇの４枚の扇形状のカラーフィルタによるセグメントが円周上に配置されカラーホイール２０を構成している。
【００２８】
各フィルタのセグメント角度（中心角）を、例えば 
Ｒフィルタ： ９１．５° 
Ｂフィルタ： ７３．５° 
Ｗフィルタ：１１５° 
Ｇフィルタ： ８０° 
とする。これらの角度は、光源である光源ランプ１８の演色性と各カラーフィルタの分光特性とにより設定される。
【００２９】
また、詳細は後述するが、Ｒフィルタ２０ｒに関しては、図中にも示すように、セグメント角度５０°のＲ１フィルタ２０ｒ１とセグメント角度４１．５°のＲ２フィルタ２０ｒ２とに領域を分割し、領域によって光源ランプ１８の発光輝度を可変制御する場合もあるものとする。
【００３０】
この点で、Ｒ１フィルタ２０ｒ１とＲ２フィルタ２０ｒ２は、光源ランプ１８側の制御に基づいて領域を分割して考えるものとしているが、Ｒフィルタ２０ｒ自体の領域がなんらかの部材を境界として物理的に分割されるものではなく、分光特性等も両領域で同一である。
【００３１】
さらに、光源ランプ１８の発光輝度を可変制御した場合、輝度以外の光源ランプ１８側の光源光の色温度、及び演色性等の光学特性はほぼ同等のものが得られるものとする。
【００３２】
次に上記実施形態の動作について説明する。 
図３は、電源をオンした後の主として投影カラーモードの変更設定に関する処理内容を示すものである。この図３に係る処理は、プログラムメモリ３０に記憶される動作プログラムや各種固定データ等をＣＰＵ２８が読出し、メインメモリ２９に展開して記憶させた上で順次実行する。
【００３３】
また本実施形態では、説明を簡略化するために、光源ランプ１８の点灯に関して供給する電力が発光輝度と比例するものとする。因みに、光源ランプ１８を構成する超高圧水銀灯の場合、バラスト回路１９から供給する交流電圧は一定とし、その電流値を加減することにより電力を制御する。
【００３４】
電源をオンした当初には、投影光処理部２７、バラスト回路１９により光源ランプ１８の点灯駆動を開始する（ステップＳ１０１）。 
続けて、初期設定の投影カラーモードとしてスタンダードモードを設定する（ステップＳ１０２）。このスタンダードモードでは、上記カラーホイール２０の回転に同期して各カラーフィルタ２０ｒ，２０ｂ，２０ｗ，２０ｇのいずれが光路にあるときも光源ランプ１８が定格電力の１００［％］で点灯するように制御する。
【００３５】
こうしてスタンダードモードを設定した状態で、入出力コネクタ部１１に入力される信号に応じた構造をマイクロミラー素子１６で形成して投影レンズユニット２３より投影させる投影処理を実行する（ステップＳ１０３）。
【００３６】
この上記投影処理を実行しながら、併せて操作部３１で電源をオフするためのキー操作がなされたか否か（ステップＳ１０４）、別の投影カラーモードを指定するためのキー操作がなされたか否か（ステップＳ１０５）を続けて判断し、いずれの操作もなければ上記ステップＳ０３に戻る。
【００３７】
こうしてステップＳ０３〜Ｓ１０５の処理を繰返し実行し、入力される信号に応じた投影処理を実行しながら、電源オフのキー操作あるいは投影カラーモードを指定するキー操作がなされるのを待機する。
【００３８】
投影動作途中で別の投影カラーモードを指定するためのキー操作がなされた場合、ステップＳ１０５でそれを判断し、指定された投影カラーモードに応じてカラーホイール２０の各カラーフィルタ２０ｒ，２０ｂ，２０ｗ，２０ｇそれぞれが光路にあるときの光源ランプ１８への供給電力の割合を設定する（ステップＳ１０６）。
【００３９】
図４は、一般に「プレゼンモード」などとも称される、画像の明るさを優先した投影カラーモードでの各カラーフィルタ毎の点灯制御内容を例示するものである。ここでは、Ｒフィルタ２０ｒ、Ｂフィルタ２０ｂ、及びＧフィルタ２０ｇの各原色フィルタが光路を通過するタイミングで光源ランプ１８を定格電力の８０［％］で点灯させる一方で、無色透明のＷフィルタ２０ｗが光路を通過するタイミングでは光源ランプ１８を定格電力の１４５［％］で点灯させるものとしている。
【００４０】
図中の「換算角度」は、各カラーフィルタの中心角（セグメント角度）と光源の点灯電力（％）とを乗算した積であり、各カラーフィルタ毎に光源を定格１００［％］の電力で駆動した場合に相当する中心角（セグメント角度）を示すものである。
【００４１】
これらの設定内容は、ＣＰＵ２８の制御の下に投影光処理部２７に設定されることで、バラスト回路１９により光源ランプ１８への供給電流量が加減されて制御が実行される。
【００４２】
図示する如く、各カラーフィルタ毎の換算角度の合計値が３６２．７５°となっており、光源を定格１００［％］の電力で駆動した場合の値３６０°に略等しい数値となっていることから、平均すると光源ランプ１８にほぼ定格の電流を供給していることとなる。
【００４３】
このように各カラーフィルタ毎に同期した光源ランプ１８の点灯制御を行なうことで、特に輝度画像を投影するためのＷフィルタ２０ｗが光路にある場合の供給電力を１４５［％］とし、各原色画像を投影するためのＲフィルタ２０ｒ、Ｂフィルタ２０ｂ、及びＧフィルタ２０ｇが光路にある場合の供給電力を８０［％］としている。
【００４４】
そのために投影される画像は、色彩が若干抑えられた、くすんだものとなる反面、大変明るく、例えば投影環境が充分な暗さのない室内等であって、画像を観賞することよりも画像の内容を正確に判別することが必要な場合などに好適な投影カラーモードを実現できる。
【００４５】
また図５は、一般に「シネマモード」などとも称される、色の再現性を優先した投影カラーモードでの各カラーフィルタ毎の点灯制御内容を例示するものである。ここでは、Ｒフィルタ２０ｒをＲ１フィルタ２０ｒ１とＲ２フィルタ２０ｒ２の２つの領域に分割して取扱うものとし、Ｒ１フィルタ２０ｒ、Ｗフィルタ２０ｗ、及びＧフィルタ２０ｇの各フィルタが光路を通過するタイミングで光源ランプ１８を定格電力の８０［％］で点灯させる一方で、Ｒ２フィルタ２０ｒ２、及びＢフィルタ２０ｂが光路を通過するタイミングでは光源ランプ１８を定格電力の１４５［％］で点灯させるものとしている。
【００４６】
図示する如く、この投影カラーモードでも各カラーフィルタ毎の換算角度の合計値が３６２．７５°となっており、光源を定格１００［％］の電力で駆動した場合の値３６０°に略等しい数値となっていることから、平均すると光源ランプ１８にほぼ定格の電流を供給していることとなる。
【００４７】
このように各カラーフィルタ毎に同期した光源ランプ１８の点灯制御を行なうことで、特に原色のＲ２フィルタ２０ｒ２とＢフィルタ２０ｂが光路にある場合の供給電力を１４５［％］とし、その他のＲ１フィルタ２０ｒとＧフィルタ２０ｇ、及びＷフィルタ２０ｗが光路にある場合の供給電力を８０［％］としている。
【００４８】
そのために投影される画像は、明るさが若干抑えられた、やや暗いものとなる反面、色彩が鮮やかになり、画像を観賞するのに好適な投影カラーモードを実現できる。
【００４９】
しかるに、上記ステップＳ１０６で光源ランプ１８への供給電力の割合を設定すると、再び上記ステップＳ１０３からの処理に戻る。
【００５０】
また、操作部３１で電源をオフするためのキー操作がなされた場合には、上記ステップＳ１０４でそれを判断し、投影光処理部２７がバラスト回路１９を介して光源ランプ１８の点灯駆動を停止させる（ステップＳ１０７）。
【００５１】
その後、ここでは図示しないクーリングファンによる光源ランプ１８のアフタークーリング処理に移行し（ステップＳ１０８）、所定時間が経過するか、あるいは光源ランプ１８の温度が所定の温度まで低下した時点で、このデータプロジェクタ装置１０の電源をオフする。
【００５２】
以上に述べた如く本実施形態によれば、カラーホイールを２枚用いるなどの複雑な構造をとる必要がなく、簡易な構造としながらも、各投影カラーモードにより投影画像の輝度及び色相を適切に調整することが可能となる。
【００５３】
また上記実施形態では、上記各投影カラーモードの指定に基づく変更設定を行なった場合に、カラーホイール２０１回転当たりの光源ランプ１８の消費電力を、光源ランプ１８を定格で点灯させた場合のカラーホイール１回転当たりの消費電力と略同等に抑えることとしたので、光源ランプ１８に負担をかけることなく、また投影画像の輝度をトータルで低下させることなく安定した動作が維持できる。
【００５４】
この場合、特に本実施形態では、カラーホイール２０の一部を構成するＲフィルタ２０ｒを、Ｒ１フィルタ２０ｒ１とＲ２フィルタ２０ｒ２の領域に分割するように、複数の原色フィルタのうちの少なくとも１つの領域を分割し、複数の原色のカラーフィルタ２０ｒ，２０ｇ，２０ｂ及び透明のカラーフィルタ２０ｗとを各フィルタ単位または分割した領域単位として、光源ランプ１８の点灯電力を２値、例えば８０［％］及び１４５［％］のいずれかとなるように光源ランプ１８を点灯制御するものとした。
【００５５】
これにより、光源ランプ１８の制御が容易となり、駆動電力を切り換える頻度を低下させることができるため、光源ランプ１８の負荷変動を減らし、高価な光源ランプ１８の長寿命化に寄与できる。
【００５６】
なお、上記実施形態は、１チップＬＣＤ（登録商標）方式のデータプロジェクタ装置に適用した場合について説明したが、本発明はこれに限らず、例えば単板ＬＣＯＳ（Ｌｉｑｕｉｄ Ｃｒｙｓｔａｌ Ｏｎ Ｓｉｌｉｃｏｎ）方式のプロジェクタやモノクロ液晶パネルを用いたフィールドシーケンシャル方式のプロジェクタ等にも同様に適用することが可能となる。
【００５７】
また、例えば、上述した実施形態において、Ｒフィルタ２０ｒに関しては、Ｒ１フィルタ２０ｒ１とＲ２フィルタ２０ｒ２の２つの領域に分割したが、Ｒ３フィルタを設ける等３つ以上の領域に分割したり、Ｂフィルタ２０ｂもＢ１フィルタとＢ２フィルタを設ける等２つ以上の原色フィルタをそれぞれ分割しても良い。更に、フィルタが光路を通過するタイミングにおいて、光源ランプ１８を定格電力の８０［％］及び１４５［％］で点灯させるとしたが、供給電力の切り替えを２段階ではなく３段階以上としても良い。
【００５８】
いずれの場合においても、各カラーフィルタ毎の換算角度の合計値が３６０°に略等しい数値となっていることが条件である。
【００５９】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【符号の説明】
【００６０】
１０…データプロジェクタ装置、１１…入出力コネクタ部、１２…入出力インタフェース（Ｉ／Ｆ）、１３…画像変換部（スケーラ）、１４…ビデオＲＡＭ、１５…投影画像処理部、１６…マイクロミラー素子（ＳＯＭ）、１７…リフレクタ、１８…光源ランプ、１９…バラスト回路、２０…カラーホイール、２０ｂ…Ｂ（青）フィルタ、２０ｇ…Ｇ（緑）フィルタ、２０ｒ…Ｒ（赤）フィルタ、２０ｗ…Ｗ（無色透明）フィルタ、２１…インテグレータ、２２…ミラー、２３…投影レンズユニット、２４…ステッピングモータ（Ｍ）、２５…モータ（Ｍ）、２６…マーカセンサ、２７…投影光処理部、２８…ＣＰＵ、２９…メインメモリ、３０…プログラムメモリ、３１…操作部、３２…音声処理部、３３…スピーカ部、ＳＢ…システムバス。
【図１】
2014041359.tif 000003
【図２】
2014041359.tif 000004
【図３】
2014041359.tif 000005
【図４】
2014041359.tif 000006
【図５】
2014041359.tif 000007
【手続補正書】
【提出日】平成25年10月18日(2013.10.18)
【手続補正１】
【補正対象書類名】明細書
【補正対象項目名】０００７
【補正方法】変更
【補正の内容】
【０００７】
請求項１記載の発明は、光源と、それぞれ扇形の複数の原色フィルタ及び透明フィルタを円周に沿って配置し、回転に応じて上記光源からの光路中に１つのフィルタを時分割で挿入して光源光を透過させるカラーホイールと、上記カラーホイールを介した光を用いて光像を形成し、投影対象に向けて投影する投影手段と、色相及び明るさのいずれか一方を重視する投影カラーモードを指定する指定手段と、上記指定手段での指定内容に応じ、上記複数の原色フィルタと透明フィルタの各上記光路挿入タイミングに合わせて上記光源の発光輝度を制御する光源制御手段とを具備し、上記光源制御手段は、上記複数の原色フィルタのうちの少なくとも１つの領域を分割し、複数の原色フィルタ及び透明フィルタを上記分割した領域単位で二値の輝度値のいずれかとするとともに、上記分割した領域の原色フィルタの上記光路挿入タイミングでの光源の発光輝度がその前後の原色フィルタ又は透明フィルタの上記光路挿入タイミングでの光源の発光輝度と連続した同じ値になるように切り換えることを特徴とする。
請求項２記載の発明は、上記請求項１記載の発明において、上記光源制御手段は、上記光源の発光輝度がカラーホイール１回転内の切換回数が２回になるように、上記光源の発光輝度を制御することを特徴とする。
【手続補正２】
【補正対象書類名】明細書
【補正対象項目名】０００８
【補正方法】変更
【補正の内容】
【０００８】
請求項３記載の発明は、光源、それぞれ扇形の複数の原色フィルタ及び透明フィルタを円周に沿って配置し、回転に応じて上記光源からの光路中に１つのフィルタを時分割で挿入して光源光を透過させるカラーホイール、及び上記カラーホイールを介した光を用いて光像を形成し、投影対象に向けて投影する投影部を備えた投影装置での投影方法であって、色相及び明るさのいずれか一方を重視する投影カラーモードを指定する指定工程と、上記指定工程での指定内容に応じ、上記複数の原色フィルタと透明フィルタの各上記光路挿入タイミングに合わせて上記光源の発光輝度を制御する光源制御工程とを有し、上記光源制御工程は、上記複数の原色フィルタのうちの少なくとも１つの領域を分割し、複数の原色フィルタ及び透明フィルタを上記分割した領域単位で二値の輝度値のいずれかとするとともに、上記分割した領域の原色フィルタの上記光路挿入タイミングでの光源の発光輝度がその前後の原色フィルタ又は透明フィルタの上記光路挿入タイミングでの光源の発光輝度と連続した同じ値になるように切り換えることを特徴とする。
【手続補正３】
【補正対象書類名】明細書
【補正対象項目名】０００９
【補正方法】変更
【補正の内容】
【０００９】
請求項４記載の発明は、光源、それぞれ扇形の複数の原色フィルタ及び透明フィルタを円周に沿って配置し、回転に応じて上記光源からの光路中に１つのフィルタを時分割で挿入して光源光を透過させるカラーホイール、及び上記カラーホイールを介した光を用いて光像を形成し、投影対象に向けて投影する投影部を備えた投影装置が内蔵するコンピュータが実行するプログラムであって、色相及び明るさのいずれか一方を重視する投影カラーモードを指定する指定ステップと、上記指定ステップでの指定内容に応じ、上記複数の原色フィルタと透明フィルタの各上記光路挿入タイミングに合わせて上記光源の発光輝度を制御する光源制御ステップとをコンピュータに実行させ、上記光源制御ステップは、上記複数の原色フィルタのうちの少なくとも１つの領域を分割し、複数の原色フィルタ及び透明フィルタを上記分割した領域単位で二値の輝度値のいずれかとするとともに、上記分割した領域の原色フィルタの上記光路挿入タイミングでの光源の発光輝度がその前後の原色フィルタ又は透明フィルタの上記光路挿入タイミングでの光源の発光輝度と連続した同じ値になるように切り換えることを特徴とする。
【手続補正４】
【補正対象書類名】特許請求の範囲
【補正対象項目名】全文
【補正方法】変更
【補正の内容】
【特許請求の範囲】
【請求項１】
光源と、
それぞれ扇形の複数の原色フィルタ及び透明フィルタを円周に沿って配置し、回転に応じて上記光源からの光路中に１つのフィルタを時分割で挿入して光源光を透過させるカラーホイールと、
上記カラーホイールを介した光を用いて光像を形成し、投影対象に向けて投影する投影手段と、
色相及び明るさのいずれか一方を重視する投影カラーモードを指定する指定手段と、
上記指定手段での指定内容に応じ、上記複数の原色フィルタと透明フィルタの各上記光路挿入タイミングに合わせて上記光源の発光輝度を制御する光源制御手段と
を具備し、
上記光源制御手段は、
上記複数の原色フィルタのうちの少なくとも１つの領域を分割し、複数の原色フィルタ及び透明フィルタを上記分割した領域単位で二値の輝度値のいずれかとするとともに、
上記分割した領域の原色フィルタの上記光路挿入タイミングでの光源の発光輝度がその前後の原色フィルタ又は透明フィルタの上記光路挿入タイミングでの光源の発光輝度と連続した同じ値になるように切り換える
ことを特徴とする投影装置。
【請求項２】
上記光源制御手段は、上記光源の発光輝度がカラーホイール１回転内の切換回数が２回になるように、上記光源の発光輝度を制御することを特徴とする請求項１記載の投影装置。
【請求項３】
光源、それぞれ扇形の複数の原色フィルタ及び透明フィルタを円周に沿って配置し、回転に応じて上記光源からの光路中に１つのフィルタを時分割で挿入して光源光を透過させるカラーホイール、及び上記カラーホイールを介した光を用いて光像を形成し、投影対象に向けて投影する投影部を備えた投影装置での投影方法であって、
色相及び明るさのいずれか一方を重視する投影カラーモードを指定する指定工程と、
上記指定工程での指定内容に応じ、上記複数の原色フィルタと透明フィルタの各上記光路挿入タイミングに合わせて上記光源の発光輝度を制御する光源制御工程と
を有し、
上記光源制御工程は、
上記複数の原色フィルタのうちの少なくとも１つの領域を分割し、複数の原色フィルタ及び透明フィルタを上記分割した領域単位で二値の輝度値のいずれかとするとともに、
上記分割した領域の原色フィルタの上記光路挿入タイミングでの光源の発光輝度がその前後の原色フィルタ又は透明フィルタの上記光路挿入タイミングでの光源の発光輝度と連続した同じ値になるように切り換える
ことを特徴とする投影方法。
【請求項４】
光源、それぞれ扇形の複数の原色フィルタ及び透明フィルタを円周に沿って配置し、回転に応じて上記光源からの光路中に１つのフィルタを時分割で挿入して光源光を透過させるカラーホイール、及び上記カラーホイールを介した光を用いて光像を形成し、投影対象に向けて投影する投影部を備えた投影装置が内蔵するコンピュータが実行するプログラムであって、
色相及び明るさのいずれか一方を重視する投影カラーモードを指定する指定ステップと、
上記指定ステップでの指定内容に応じ、上記複数の原色フィルタと透明フィルタの各上記光路挿入タイミングに合わせて上記光源の発光輝度を制御する光源制御ステップと
をコンピュータに実行させ、
上記光源制御ステップは、
上記複数の原色フィルタのうちの少なくとも１つの領域を分割し、複数の原色フィルタ及び透明フィルタを上記分割した領域単位で二値の輝度値のいずれかとするとともに、
上記分割した領域の原色フィルタの上記光路挿入タイミングでの光源の発光輝度がその前後の原色フィルタ又は透明フィルタの上記光路挿入タイミングでの光源の発光輝度と連続した同じ値になるように切り換える
ことを特徴とするプログラム。